(57)【要約】      （修正有）【課題】煩雑な処理を必要とせずに、対の関係を成す２つの情報がそれぞれ印刷された１組のラベルを容易に作成する。【解決手段】一方の文字列と、一方の文字列と対の関係を成す他方の文字列と、を関連付けて記憶している第２文字列データベース７４と、一方の文字列を入力可能な入力手段１７、２４、６１と、入力された一方の文字列に応じて、記憶手段に記憶された他方の文字列を表示する表示手段２４と、入力された一方の文字列と、表示された他方の文字列とを、それぞれ印刷する印刷部６２と、を有し、対の関係を成す文字列がそれぞれ印刷された１組のペアラベルを作成する。【選択図】図３
2010105336.tif 000002
【特許請求の範囲】
【請求項１】
一方の文字または図形と、当該一方の文字または図形と対の関係を成す他方の文字または図形と、を関連付けて記憶している記憶手段と、
前記一方の文字または図形を入力可能な入力手段と、
前記入力手段により入力された前記一方の文字または図形に応じて、前記記憶手段に記憶された前記他方の文字または図形を表示する表示手段と、
前記入力された一方の文字または図形と、前記表示された他方の文字または図形とを、それぞれ印刷する印刷手段と、を有し、
前記対の関係を成す文字または図形がそれぞれ印刷された１組のラベルを作成することを特徴とするラベル作成装置。
【請求項２】
前記表示手段に表示された前記他方の文字または図形から、所望の文字または図形を選択可能な選択手段を、さらに備え、
前記印刷手段は、前記入力された一方の文字または図形と、前記選択手段により選択された前記他方の文字または図形と、をそれぞれ印刷することを特徴とする請求項１に記載のラベル作成装置。
【請求項３】
前記選択手段により選択された前記他方の文字または図形を書換え可能な書換え手段を更に備え、
前記印刷手段は、前記入力された一方の文字または図形と、前記書換え手段により書き換えられた前記他方の文字または図形と、をそれぞれ印刷することを特徴とする請求項２に記載のラベル作成装置。
【請求項４】
前記書換え手段により書き換えられた前記他方の文字または図形を、前記入力された一方の文字または図形と関連付けて前記記憶手段に記憶することを特徴とする請求項３に記載のラベル作成装置。
【請求項５】
記憶部、入力部、表示部、印刷部および各部を制御する制御部を有するラベル作成装置の制御方法であって、
前記制御部は、
前記記憶部に、一方の文字または図形と、当該一方の文字または図形と対の関係を成す他方の文字または図形と、を関連付けて記憶する記憶工程と、
前記入力部により入力された前記一方の文字または図形に応じて、前記記憶手段に記憶された前記他方の文字または図形を前記表示部に表示する表示工程と、
前記入力部により入力された前記一方の文字または図形と、前記表示部に表示された前記他方の文字または図形とを、前記印刷部により、それぞれ印刷する印刷工程と、を実行し、
前記対の関係を成す文字または図形がそれぞれ印刷された１組のラベルを作成することを特徴とするラベル作成装置の制御方法。
【請求項６】
コンピュータに、請求項５に記載のラベル作成装置の制御方法における各工程を実行させるためのプログラム。
【発明の詳細な説明】
【技術分野】
【０００１】
本発明は、２つ以上の文字または図形を連続印刷して、２つ以上のラベルを作成するラベル作成装置、ラベル作成装置の制御方法およびプログラムに関するものである。
【背景技術】
【０００２】
従来、ラベル作成装置（テープ印刷装置）として、入力した２つ以上の登録文字列を連続印刷すると共に、各印刷結果である画像の相互間を自動的にカットすることで、２つ以上のラベルを作成するラベル作成装置が知られている（特許文献１参照）。
【特許文献１】特開２００１−１６０３号公報
【発明の開示】
【発明が解決しようとする課題】
【０００３】
ところで、ラベル作成装置で作成するラベルとして、ドアの両面に貼付するための「押す」と「引く」のラベルや、電子機器に搭載されたボタン近傍に貼付するための「ＯＮ」と「ＯＦＦ」のラベル等、対の関係を成す１組のラベルを作成することがある。上記のラベル作成装置を用いて、このような１組のラベルを作成する場合、対の関係を成す２つの文字または図形をそれぞれ入力する必要があり、作成処理が煩雑であるという問題があった。また、ユーザが、一方の文字または図形と対の関係を成す他方の文字または図形が分からない場合、他方の文字または図形を辞書等で調べて入力しなければならないという問題があった。
【０００４】
本発明は、煩雑な処理を必要とせずに、対の関係を成す２つの文字または図形がそれぞれ印刷された１組のラベルを容易に作成することができるラベル作成装置、ラベル作成装置の制御方法およびプログラムを提供することを目的としている。
【課題を解決するための手段】
【０００５】
本発明のラベル作成装置は、一方の文字または図形と、当該一方の文字または図形と対の関係を成す他方の文字または図形と、を関連付けて記憶している記憶手段と、一方の文字または図形を入力可能な入力手段と、入力手段により入力された一方の文字または図形に応じて、記憶手段に記憶された他方の文字または図形を表示する表示手段と、入力された一方の文字または図形と、表示された他方の文字または図形とを、それぞれ印刷する印刷手段と、を有し、対の関係を成す文字または図形がそれぞれ印刷された１組のラベルを作成することを特徴とする。
【０００６】
本発明のラベル作成装置の制御方法は、記憶部、入力部、表示部、印刷部および各部を制御する制御部を有するラベル作成装置の制御方法であって、制御部は、記憶部に、一方の文字または図形と、当該一方の文字または図形と対の関係を成す他方の文字または図形と、を関連付けて記憶する記憶工程と、入力部により入力された一方の文字または図形に応じて、記憶手段に記憶された他方の文字または図形を表示部に表示する表示工程と、入力部により入力された一方の文字または図形と、表示部に表示された他方の文字または図形とを、印刷部により、それぞれ印刷する印刷工程と、を実行し、対の関係を成す文字または図形がそれぞれ印刷された１組のラベルを作成することを特徴とする。
【０００７】
これらの構成によれば、一方の文字または図形を入力するだけで、対の関係を成す２つの文字または図形がそれぞれ印刷された１組のラベルを作成することができる。つまり、他方の文字または図形を、ユーザが調べる必要がない。さらに、表示手段（表示部）により、印刷前に他方の文字または図形を表示することで、ユーザはそれらをラベル作成前に確認することができる。なお、ここにいう「対の関係を成す文字または図形」とは、「押す」と「引く」、「大」と「小」等のような、反対の意味を持つものに限らず、「紅」と「白」、「フォーク」と「ナイフ」等のような、ペアとして連想するものを含む概念である。また、ここにいう「文字」とは、文字列を含む概念であり、ここにいう「図形」とは、記号を含む概念である。
【０００８】
この場合、表示手段に表示された他方の文字または図形から、所望の文字または図形を選択可能な選択手段を、さらに備え、印刷手段は、入力された一方の文字または図形と、選択手段により選択された他方の文字または図形と、をそれぞれ印刷することが好ましい。
【０００９】
この構成によれば、入力された一方の文字または図形と対の関係を成す他方の文字または図形の中から、印刷する他方の文字または図形を選択する構成であるため、入力した文字または図形に対して、対の関係を成す文字または図形が複数あった場合にも、所望する文字または図形が印刷されたラベルを作成することができる。
【００１０】
この場合、選択手段により選択された他方の文字または図形を書換え可能な書換え手段を更に備え、印刷手段は、入力された一方の文字または図形と、書換え手段により書き換えられた他方の文字または図形と、をそれぞれ印刷することが好ましい。
【００１１】
この構成によれば、選択された他方の文字または図形の中に、所望とする他方の文字または図形がなかった場合にも、選択された他方の文字または図形を、書き換えることで、所望とする対の関係を成す１組のラベルを作成することができる。
【００１２】
この場合、書換え手段により書き換えられた他方の文字または図形を、入力された一方の文字または図形と関連付けて記憶手段に記憶することが好ましい。
【００１３】
この構成によれば、書き換えた他方の文字または図形を、入力された一方の文字または図形に関連付けて記憶することにより、当該一方の文字または図形を再度入力した場合、書き換えた他方の文字または図形を選択候補として表示することができる。
【００１４】
本発明のプログラムは、コンピュータに、上記のラベル作成装置の制御方法における各工程を実行させることを特徴とする。
【００１５】
この構成によれば、本プログラムをコンピュータに搭載するだけで、容易に、上記各工程を実行することができる。
【発明を実施するための最良の形態】
【００１６】
以下、添付の図面を参照して、本発明の一実施形態に係るテープ印刷装置（ラベル作成装置）について説明する。このテープ印刷装置は、印刷データが印刷された明示用のラベルを作成するものであり、特に、対の関係を成す文字または図形がそれぞれ印刷された１組のラベル（以下、１組のペアラベル）を作成するものである。例えば、一方に「押す」を印刷し、他方に「引く」を印刷した１組のペアラベルや、一方に「ＯＮ」を印刷し、他方に「ＯＦＦ」を印刷した１組のペアラベルを作成する。なお、ここにいう「図形」とは、記号を含む概念である。
【００１７】
図１および図２に示すように、テープ印刷装置１は、印刷テープＴに対して印刷処理を行なう装置本体１１と、印刷テープＴおよびインクリボンＲを収容し、装置本体１１に着脱自在に装着されるテープカートリッジＣとを備えている。
【００１８】
装置本体１１は、装置ケース１２により外装が形成され、装置ケース１２の前半部上面には、文字等を入力するための複数の文字入力キー１３と、各種選択および確定処理等を行なうための複数の機能キー１５と、を備えたキーボード１７が配設されている。機能キー１５には、印刷フォームの設定を行なうフォームキー１５ａ、後述するディスプレイ２４に表示される選択肢を選択する上下（左右）キー１５ｂ、上記選択肢から所望の選択肢（文字列）を確定する確定キー１５ｃ、入力編集中の文字等を削除する削除キー１５ｄ、入力編集中の文字等を変換する変換キー１５ｅ、文字モードの設定を行なうモードキー１５ｆ、印刷処理を指示する印刷キー１５ｇ、操作するキー数の増加を抑えるためのシフトキー１５ｈ等が含まれる。
【００１９】
装置ケース１２の後半部左上面には、開閉蓋２１が広く設けられ、開閉蓋２１の上面には、テープカートリッジＣの装着／非装着を視認するための覗き窓２２が形成されていると共に、開閉蓋２１の前側にはこれを開放する蓋体開放ボタン２３が設けられている。後半部右上面には、キーボード１７からの入力結果等を表示するディスプレイ２４が形成されている。
【００２０】
蓋体開放ボタン２３を押して開閉蓋２１を開放すると、その内部には、テープカートリッジＣが装着されるカートリッジ装着部３１が窪入形成されており、カートリッジ装着部３１には、テープカートリッジＣから繰り出される印刷テープＴに印刷処理を行なう印刷ヘッド４１が配設されている（図２参照）。
【００２１】
装置ケース１２の左側部には、カートリッジ装着部３１と装置外部とを連通するテープ排出口３２が形成され、このテープ排出口３２に臨んで印刷テープＴを切断するための切断部３３が内蔵されている。また、図１および図２では省略したが、装置ケース１２の内部には、装置本体１１を統括制御する制御部６４（図３参照）を構成する回路基板が搭載されている。
【００２２】
カートリッジ装着部３１には、発熱素子を有しヘッドカバー４０に覆われた印刷ヘッド４１と、後述するテープカートリッジＣのテープリール５１の位置決めをする位置決め突起４２と、印刷テープＴおよびインクリボンＲを送り、印刷ヘッド４１に対峙するプラテン駆動軸４３およびインクリボンＲを巻き取る巻取り駆動軸４４とが突設されている。また、カートリッジ装着部３１には、カートリッジケース５０の裏面に形成された複数の被検出孔に対応してテープ識別センサ（図示省略）が設けられている。さらに、カートリッジ装着部３１には、プラテン駆動軸４３および巻取り駆動軸４４を駆動する印刷送りモータ４６（図３参照）や減速ギヤ列等（図示省略）が内蔵されている。
【００２３】
テープカートリッジＣは、カートリッジケース５０の内部に、印刷テープＴを巻回したテープリール５１と、右下部にインクリボンＲを巻回したリボン繰出しリール５２およびリボン巻取りリール５３とを収容して構成されている。また、テープリール５１の左下部には、印刷ヘッド４１を覆うヘッドカバー４０が差し込まれるための貫通開口５４が形成されている。さらに、印刷テープＴとインクリボンＲとが重なる部分に対応し、上記プラテン駆動軸４３に嵌合して回転駆動するプラテンローラ５５が配置されている。
【００２４】
テープカートリッジＣをカートリッジ装着部３１に装着すると、ヘッドカバー４０に貫通開口５４が、位置決め突起４２にテープリール５１が、巻取り駆動軸４４にリボン巻取りリール５３が、プラテン駆動軸４３にプラテンローラ５５が、それぞれ差し込まれ、この状態で開閉蓋２１を閉蓋すると、これに連動して、印刷ヘッド４１が、印刷テープＴおよびインクリボンＲを挟み込んでプラテンローラ５５に当接し、印刷待機状態となる。そして、印刷データ生成プログラム７３（図３参照）で生成された印刷データに基づき、プラテン駆動軸４３および巻取り駆動軸４４が同期回転して、印刷テープＴおよびインクリボンＲを送りながら、印刷ヘッド４１により印刷処理が行なわれる。これと共に、リボン繰出しリール５２から繰り出されたインクリボンＲは、貫通開口５４の開口壁を周回してリボン巻取りリール５３に巻き取られる。
【００２５】
印刷テープＴは、テープ種別（テープ幅、テープ色、インクリボン色、テープ材質）が異なる複数種のものが用意されており、裏面に粘着剤層が塗着された記録テープＴ１と、この粘着剤層により記録テープＴ１に貼付された剥離テープＴ２とから構成されている。そして、印刷テープＴは、記録テープＴ１を外側にし、かつ剥離テープＴ２を内側にしてロール状に巻回されてカートリッジケース５０に収容されている。これらのテープ種別は、カートリッジケース５０の裏面に形成された小さな複数の被検出孔（図示省略）をテープ識別センサ（図示省略）が検出することにより、識別できるようになっている。
【００２６】
次に、図３の制御ブロック図を参照し、テープ印刷装置１の制御系について説明する。テープ印刷装置１は、キーボード１７上の各種キーからのデータ入力や、印刷データ等のディスプレイ２４への表示など、ユーザインタフェースとして機能する操作部６１と、印刷テープＴに印刷を行なう印刷部（印刷手段）６２と、印刷テープＴを切断する切断部３３と、テープ印刷装置１の各部に接続され、テープ印刷装置１全体を制御する制御部６４と、を有している。
【００２７】
切断部３３は、印刷テープＴをフルカットするフルカッタ５８と、フルカッタ５８を駆動するフルカッタモータ５７と、印刷テープＴの記録テープＴ１のみをカットするハーフカッタ６０と、ハーフカッタ６０を駆動するハーフカッタモータ５９と、を備えている。フルカットとは、印刷テープＴの記録テープＴ１および剥離テープＴ２を共に切断する切断処理であり、印刷後の印刷テープＴを所定のテープ長でフルカットすることで、ラベルが作成される。一方、ハーフカットとは、記録テープＴ１のみを切断する切断処理である。例えば、１組のペアラベル８１を作成する際には、ラベルの相互間（後述する第１印刷データ７６および第２印刷データ７７の隣接部）でハーフカットを行ない、１組のペアラベル８１を剥離テープＴ２により連結した状態とすることができる。
【００２８】
印刷部６２は、後述する印刷データ生成プログラム７３により生成した印刷データ、およびテープ長設定プログラム７２により設定したテープ長に基づいて印刷ヘッド４１により印刷テープＴに印刷処理を行なう。
【００２９】
制御部６４は、ＣＰＵ（Central Processing Unit）６５と、ＣＰＵ６５で各種制御処理を行なうための制御プログラムを有するＲＯＭ（Read Only Memory）６６と、各種制御処理の作業領域となるＲＡＭ（Random Access Memory）６７と、テープ印刷装置１の各部と入力データや制御信号の入出力を行なう入出力制御装置（ＩＯＣ：Input Output Controller）６８と、を備え、これらは互いに内部バスにより接続されている。ＣＰＵ６５は、ＲＯＭ６６内の制御プログラムに従って、ＩＯＣ６８を介してテープ印刷装置１の各部から各種信号・データを入力する。また、ＣＰＵ６５は、入力された各種信号・データに基づいて、ＲＡＭ６７内の各種データを処理し、ＩＯＣ６８を介してテープ印刷装置１の各部に各種信号・データを出力し、印刷処理の制御を行なう。
【００３０】
ＲＯＭ６６内には、フォーム選択プログラム７０と、ペアラベル設定プログラム７１と、テープ長設定プログラム７２と、印刷データ生成プログラム７３と、が記憶されている。
【００３１】
フォーム選択プログラム７０は、ラベルに印刷する印刷フォームを選択するためのプログラムである。印刷フォームは、用途等に対応したレイアウト（行数、文字サイズ、装飾種類等）であり、「フォーム」と「特殊フォーム」とにカテゴリー分けされている。ＣＰＵ６５は、フォーム選択プログラム７０を実行して、「フォーム」と「特殊フォーム」との選択画面を、ディスプレイ２４に表示させる。ユーザが、「フォーム」を選択すると、ＣＰＵ６５はそれを受けて、例えば、「Ａ４ファイル」「Ｂ５ファイル」「ＣＤケース」「ＦＤ・ＭＯ」といった選択肢を有する選択画面を、ディスプレイ２４に表示させる。一方、「特殊フォーム」を選択すると、例えば、「見出し（縦）」「見出し（横）」「縦型よこ書」「横型たて書」「ケーブル用」「ペアケーブル」「ペアラベル」といった選択画面をディスプレイ２４に表示させる（図４（ａ）参照）。このように、ユーザは、所望の印刷フォームを選択することができる。なお、１組のペアラベル８１を作成する場合には「ペアラベル」を選択する。
【００３２】
ペアラベル設定プログラム７１は、フォーム選択画面で「ペアラベル」が選択された際、１組のペアラベル８１の印刷内容の設定を行なうためのプログラムである。ペアラベル設定プログラム７１は、第２文字列データベース（記憶手段および記憶部）（以下、第２文字列ＤＢ）７４と、第１文字列入力プログラム９３と、文字モード設定プログラム９５と、第２文字列指定プログラム９４と、を有している。
【００３３】
第２文字列ＤＢ７４は、操作部６１において入力された各文字列に対応する１以上の文字列を記憶するデータベースである。すなわち、第２文字列ＤＢ７４は、任意の文字列と、当該文字列と対の関係を成す１以上の文字列と、を関連付けて記憶している。例えば、文字列「押す」に対応して、「引く」「戻す」という２つの文字列を記憶し、文字列「ＰＵＳＨ」に対応して、「ＰＵＬＬ」「ＲＥＴＵＲＮ」といった２つの文字列を記憶している。
【００３４】
第１文字列入力プログラム９３は、ＣＰＵ６５により、第１文字列（請求項における一方の文字または図形）を入力するための入力画面（図４（ｂ）参照）を、ディスプレイ２４に表示させ、ユーザに第１文字列の入力を促す。すなわち、ユーザは、ディスプレイ２４に表示された入力画面と、キーボード１７とを用いて、第１文字列を入力する。なお、請求項にいう入力手段および入力部は、ディスプレイ２４、キーボード１７および制御部６４により、構成されている。
【００３５】
文字モード設定プログラム９５は、第１文字列の文字モードを設定するプログラムである。ＣＰＵ６５は、文字モード設定プログラム９５を実行し、第１文字列の入力編集時に、モードキー１５ｆが押されることにより、「書体」「飾り字」「斜体・強調」といった文字モードのメイン項目の選択画面を、ディスプレイ２４に表示させる。ユーザが、所望の項目を選択すると、ＣＰＵ６５はそれを受け、その項目の下位項目の選択画面を、ディスプレイ２４に表示させる。例えば、「飾り字」が選択された場合には、「飾り字」の下位項目である、「白抜き」「ふつう」「影文字」といった項目の選択画面を表示させる（図４（ｃ）参照）。このような選択画面を用いて文字モードを設定することで、装飾情報を入力することができる。なお、詳細は後述するが、ここで入力された装飾情報は、第１文字列のみならず、第２文字列にも反映される。
【００３６】
第２文字列指定プログラム９４は、入力された第１文字列に対し、対の関係を成す第２文字列（請求項における他方の文字または図形）を指定（選択および入力）するためのプログラムである。ＣＰＵ６５は、第２文字列指定プログラム９４を実行し、第２文字列ＤＢ７４から、入力された第１文字列と対の関係を成す１以上の文字列を読み出す。その後、読み出された１以上の文字列を選択候補とする選択画面（図４（ｄ）参照）をディスプレイ２４に表示させて、ユーザに第２文字列の選択を促す。また、第２文字列として、ユーザにとって所望とする文字列を入力するための入力画面（図４（ｅ））が、ディスプレイ２４に表示されて、ユーザが第２文字列を入力できる構成を有している。このように、請求項にいう表示手段および表示部は、ディスプレイ２４および制御部６４により構成されており、請求項にいう選択手段は、キーボード１７により構成されている。
【００３７】
印刷データ生成プログラム７３は、印刷データを生成するためのプログラムである。ＣＰＵ６５は、印刷データ生成プログラム７３を実行し、入力された文字列に基づいて、印刷データを生成する。なお、１組のペアラベル８１を作成する際には、入力された第１文字列に基づいて、第１印刷データ７６を生成すると共に、選択もしくは入力された第２文字列に基づいて、第２印刷データ７７を生成する。また、第１文字列と共に装飾情報が入力された場合には、入力された装飾情報に基づいて第２文字列が装飾されて第１印刷データ７６および第２印刷データ７７が生成される。
【００３８】
テープ長設定プログラム７２は、作成されるラベルのテープ長を設定するためのプログラムである。ＣＰＵ６５は、印刷データ生成プログラム７３により生成された印刷データに基づいて、テープ長設定プログラム７２を実行させることにより、作成されるラベルのテープ長を設定する。なお、１組のペアラベル８１を作成する際には、ＣＰＵ６５が、生成された第１印刷データ７６のテープ長Ｌａと、生成された第２印刷データ７７のテープ長Ｌｂとを比較し、そのうちの長い方に合わせてテープ長を設定する。例えば、図５（ｂ）に示すように、第１文字列「公式」に基づく第１印刷データ７６と、第２文字列「非公式」に基づく第２印刷データ７７とを生成した場合には、第２印刷データ７７の方が、テープ長が長いため、第２ラベル８４のテープ長に第１ラベル８３のテープ長を設定する。このように、テープ長を合わせることにより、共通のテープ長を有する見栄えの良い１組のペアラベル８１を作成することができる。また、２つのテープ長のいずれか長い方に対応して、テープ長を設定するため、両印刷データ７６、７７を確実にテープ長内におさめることができる。
【００３９】
ここで、図５を参照して、テープ印刷装置１で作成される１組のペアラベル８１について説明する。図５（ａ）は、作成される１組のペアラベル８１の１例である。図５（ａ）に示すように、１組のペアラベル８１は、剥がし代部８２と、第１印刷データ７６が印刷された第１のラベル８３と、第２印刷データ７７が印刷された第２のラベル８４と、が連結された状態で出力される。すなわち、左から、剥がし代部８２、第１のラベル８３、第２のラベル８４という順番で形成されており、その相互間は、ハーフカットされ、剥がし代部８２の左端と第２のラベル８４の右端は、フルカットされている。さらに第１印刷データ７６には、第１文字列が含まれ、第２印刷データ７７には、第２文字列が含まれている。そのため、第１文字列と第２文字列とは隣接して印刷される。なお、図５（ｂ）は、第１ラベル８３と第２ラベル８４とのテープ長を合わせることにより、共通のテープ長を有する１組のペアラベル８１を作成した場合の印刷例である。
【００４０】
第１のラベル８３の記録テープＴ１を用いる場合には、剥がし代部８２を用いて、剥離テープＴ２から、第１のラベル８３の記録テープＴ１を剥離し、当該記録テープＴ１を所望の場所に貼り付けて用いる。一方、第２のラベル８４の記録テープＴ１を用いる場合には、第１のラベル８３の形成部を剥がし代にして、剥離テープＴ２から、第２のラベル８４の記録テープＴ１を剥離・取得し、当該記録テープＴ１を所望の場所に貼り付けて用いる。
【００４１】
また、図５（ｃ）は剥がし代部８２を省略して第１のラベル８３と第２のラベル８４と連結した状態で出力した場合の構成である。また、図５（ｄ）は、第１のラベル８３と第２のラベル８４とをフルカットして出力した場合の構成を示す。この場合、ハーフカット部を省略することも可能である。
【００４２】
次に、図６ないし図８を参照して、テープ印刷装置１における１組のラベルの作成処理について説明する。なお、ここでは、図５（ａ）に示すラベルを作成する場合について例示する。まず、図６に示すように、ユーザによって、フォームキー１５ａが押されると（Ｓ１：Ｙｅｓ）、ＣＰＵ６５はそれを受けて、フォーム選択プログラム７０により、印刷フォームの選択画面を表示する（Ｓ２）（図７：Ｄ１）。本例では、ユーザが、この選択画面で「特殊フォーム」を選択し、加えて「ペアラベル」を選択したものとする（図７：Ｄ２およびＤ３）。
【００４３】
「ペアラベル」が選択されると、ＣＰＵ６５は、第１文字列入力プログラム９３により、第１文字列の入力画面を表示する（Ｓ３）（図７：Ｄ４）。本例では、ユーザが、「押す」を入力したものとする（図７：Ｄ５）。その後、ユーザがシフトキー１５ｈおよび変換キー１５ｅを押したことをトリガーとして、次の工程に移行する。なお、詳細は後述するが、第１文字列の入力編集時に、モードキー１５ｆを押すことにより、装飾設定処理（図９参照）に移行し、装飾設定を行なうことが出来る。
【００４４】
シフトキー１５ｈおよび変換キー１５ｅが押されると、ＣＰＵ６５はそれを受けて、第２文字列指定プログラム９４により、入力した第１文字列と対の関係を成す１以上の文字列を第２文字列ＤＢ７４より選択候補として読み出して選択画面に表示する（Ｓ４）（図７：Ｄ６およびＤ９）。ここで、ユーザにより、１つの文字列が選択されると、次の工程（Ｓ５）に移行する。なお、第２文字列ＤＢ７４に、入力した第１文字列と対の関係を成す文字列が１つしか記憶されていない場合には、選択画面に、当該１つの文字列を表示する。この状態で、ユーザにより、確定キー１５ｃが押されると、当該１つの文字列を確定し、次の工程（Ｓ５）に移行する。このように、対の関係を成す文字列が１つしかない場合には、選択動作に代えて、確定動作（確定キー１５ｃの押下）を行う。なお、かかる際、確定動作を省略し、１つの文字列の選択画面を表示してから一定時間経つと自動的に次の工程（Ｓ５）に移行するものであっても良い。ひいては、１つの文字列の選択画面表示（Ｓ４）を省略して、次の工程（Ｓ５）に移行しても良い。
【００４５】
第２文字列として１つの文字列が選択されると、それを受けたＣＰＵ６５は、第２文字列指定プログラム９４により、選択された第２文字列を編集対象として入力画面に表示する（Ｓ５）（図７：Ｄ７およびＤ１０）。その後、確定キー１５ｃが押されると、ＣＰＵ６５はそれを受けて、第２文字列として確定する。なお、ユーザは、第２文字列の入力画面で確定キー１５ｃを押す前に、選択画面の選択項目にない所望の第２文字列を入力することもできる。例えば、図８に示すように、第２文字列の入力画面が表示された際、削除キー１５ｄにより、選択した「引く」を削除し（Ｄ２１）「抜く」を入力する（Ｄ２２）。これにより、入力画面上に、選択項目にない文字列「抜く」が表示され、その後、確定キー１５ｃが押されると、ＣＰＵ６５は「抜く」を第２文字列として確定する。このように、請求項にいう書換え手段は、キーボード１７および制御部６４により構成されている。この場合、書き換えた第２文字列は第２文字列ＤＢ７４に記憶される。厳密には、選択した第２文字列を書き換えた後、確定キー１５ｃが押されると、その書き換えた第２文字列は、入力した第１文字列と関連づけて、第２文字列ＤＢ７４に記憶される。
【００４６】
第２文字列が確定したら、ＣＰＵ６５は、第１文字列および第２文字列の確認画面を表示する（Ｓ６）（図７：Ｄ８およびＤ１１）。この状態で印刷キー１５ｇが押されると（Ｓ７：Ｙｅｓ）、ＣＰＵ６５は、印刷データ生成プログラム７３により、入力された第１文字列に基づいて、第１印刷データ７６を生成すると共に、指定（選択もしくは入力）した第２文字列に基づいて、第２印刷データ７７を生成する。第１印刷データ７６および第２印刷データ７７が生成されたら、ＣＰＵ６５は、テープ長設定プログラム７２により、第１印刷データ７６および第２印刷データ７７に基づいて、第１ラベル８３および第２ラベル８４のテープ長を設定する。
【００４７】
次に、ＣＰＵ６５は、印刷部６２により、第１印刷データ７６および第２印刷データ７７を印刷すると共に、切断部３３により、印刷テープＴ上の、第１印刷データ７６および第２印刷データ７７の隣接部をハーフカットし、設定されたテープ長となるように、印刷テープＴをフルカットする。これらにより、図５（ａ）に示すような、一方に、第１印刷データ７６が印刷され、他方に、第２印刷データ７７が印刷された１組のペアラベル８１が作成される。
【００４８】
次に、図９を参照して装飾設定処理について説明する。図９に示すように、第１文字列の入力編集時（第１文字列の入力画面の表示時）にモードキー１５ｆが押されると、ＣＰＵ６５は、文字モード設定プログラム９５により、文字モードにおけるメイン項目の選択画面を表示する（Ｄ３１）。これに対し、本例では、ユーザが「飾り字」を選択したものとする。
【００４９】
メイン項目が選択されると、ＣＰＵ６５は、文字モード設定プログラム９５により、選択されたメイン項目における下位項目の選択画面を表示する（Ｄ３２）。ユーザが、当選択画面によって下位項目を選択することで、装飾情報が入力される。本例では、ユーザが「白抜き」を選択したものとする。下位項目が選択されると、第１文字列の入力編集に戻り、第１文字列の入力画面を表示する（Ｄ３３）。この際、図９に示すように、入力された文字列の先頭に、装飾設定がなされたことを示す装飾設定マークＭを表示する。
【００５０】
その後、ＣＰＵ６５は、第２文字列の選択画面および入力画面を表示し（Ｄ３４およびＤ３５）、第２文字列が指定されることにより、第１文字列および第２文字列の確認画面を表示する（Ｄ３６）。この状態で印刷キー１５ｇが押されると、ＣＰＵ６５は、印刷データ生成プログラム７３により、入力された装飾情報を付加して、第１印刷データ７６および第２印刷データ７７を生成する。その後、印刷部６２および切断部３３により、当該印刷データ７６、７７の印刷処理、および切断処理を行なうことで、入力された装飾情報に基づく装飾（「白抜き」）が施された１組のペアラベル８１が作成される。
【００５１】
このような構成により、第１文字列に装飾情報を入力するだけで、第１文字列および第２文字列に対して装飾を施すことが容易にできる。また、共通の装飾を第１文字列および第２文字列に施すことができるため、見栄えの良い１組のペアラベル８１を作成することができる。なお、第１のラベル８３と第２のラベル８４とで、別々の装飾設定をし、別々の装飾を施すような構成であっても良い。また、共通の装飾を施すか、別々の装飾を施すかを設定できる構成であっても良い。
【００５２】
次に、図１０を参照して本実施形態の変形例について異なる部分を中心に説明する。ここでは、１組のペアラベル８１として、一方に、２つの第１文字列を印刷し、他方に、２つの第１文字列に対応する２つの第２文字列を印刷した１組のペアラベル８１を作成する。すなわち、２つの第１文字列を入力すると共に、入力した２つの第１文字列と対の関係を成す２つの第２文字列を指定（選択もしくは入力）することで、当該１組のペアラベル８１を作成する。なお、本処理では、図６および図７に示す作成処理と同様のフォーム選択を行ない、その後、各文字列の入力を行なう構成であるため、図１０では、フォーム選択に係る部分を省略する。
【００５３】
図１０に示すように、１つ目の第１文字列を入力すると共に、１つ目の第２文字列を指定する（Ｄ４〜Ｄ６およびＤ９）。１つ目の第２文字列の入力画面を表示した状態において、シフトキー１５ｈおよび確定キー１５ｃが押されると、２つ目の第１文字列の入力画面が表示される（Ｄ４１）。
【００５４】
２つ目の第１文字列の入力画面が表示されたら、１つ目と同様の処理で、２つ目の第１文字列を入力し、２つ目の第２文字列を指定する（Ｄ４１〜Ｄ４４およびＤ４６）。２つ目の第２文字列の入力画面を表示した状態において、確定キー１５ｃが押されると、２つの第１文字列と、２つの第２文字列の確認画面が表示される（Ｄ４５およびＤ４７）。この状態で印刷キー１５ｇが押されると、ＣＰＵ６５は、印刷データ生成プログラム７３により、２つの第１文字列を含む第１印刷データ７６と、２つの第２文字列を含む第２印刷データ７７と、を生成する。その後、印刷部６２および切断部３３により、それぞれの印刷データ７６、７７の印刷処理および切断処理が行われ、２つの第１文字列が印刷された第１のラベル８３と、２つの第２文字列が印刷された第２のラベル８４とから成る１組のペアラベル８１が作成される。
【００５５】
以上、本実施形態によれば、第１文字列を入力するだけで、対の関係を成す２つの文字列がそれぞれ印刷された１組のラベル（１組のペアラベル８１）を作成することができる。また、第１文字列を入力すると、第２文字列を記憶手段（記憶部）から自動的に抽出して印刷するため、第２文字列を、ユーザが調べる必要がない。さらに、表示手段（表示部）により、印刷前に第２文字列を表示することで、ユーザはそれらをラベル作成前に確認することができる。
【００５６】
また、入力された第１文字列と対の関係を成す第２文字列の中から、印刷する第２文字列を選択する構成であるため、入力した第１文字列に対して、対の関係を成す第２文字列が複数あった場合にも、所望する第２文字列が印刷されたラベルを作成することができる。
【００５７】
さらに、選択された第２文字列を書換え可能な構成を有するため、表示された第２文字列の中に、所望とする第２文字列がなかった場合にも、選択された第２文字列を、書き換えることで、所望とする対の関係を成す１組のラベルを作成することができる。
【００５８】
なお、本実施形態においては、第１文字列が入力された後、表示した１以上の第２文字列から、所望の第２文字列を選択させる構成であったが、第２文字列の選択を省略する構成であっても良い。ここで図１１を参照して、当該変形例の１組のペアラベルの作成動作について説明する。
【００５９】
図１１に示すように、第１文字列の入力までの動作（Ｄ１〜Ｄ５）は、図７に示した動作と同様である。第１文字列の入力が終わり、シフトキー１５ｈおよび変換キー１５ｅが押されると、ＣＰＵ６５は、第２文字列ＤＢ７４から入力した第１文字列に対する第２文字列を読み出し、当該第２文字列を表示する（Ｄ６′）。その後、確定キー１５ｃが押されると、ＣＰＵ６５は、確認画面を表示し（Ｄ８）、この状態で印刷キー１５ｇが押されると、ＣＰＵ６５は、印刷処理を実行する。かかる際、入力した第１文字列に対する第２文字列が、第２文字列ＤＢ７３に複数記憶されている場合には、この複数の第２文字列全てを表示し、複数の第２文字列ＤＢを第２のラベル８４に印刷する。なお、これに代えて、複数の第２文字列全てを表示し、各第２文字列が１つずつ印刷された複数の第２ラベル８４を作成する構成であっても良いし、複数の第２文字列のうち優先順位が一番高い１つの第２文字列を表示し、当該１つの第２文字列を第２のラベル８４に印刷する構成であっても良い。また、第２文字列を表示した状態で（Ｄ６′）、印刷キー１５ｇが押されると、確認画面の表示（Ｄ８）を省略して印刷処理を実行する構成であっても良い。
【００６０】
また、本実施形態においては、請求項にいう「文字または図形」として文字列を用いたが、文字列に代えて、図形を入力し、入力した一方の図形と、それと対の関係を成す他方の図形とをそれぞれ印刷して、１組のペアラベル８１を作成しても良い。例えば、男性を表すマークＭａを入力すると、第１のラベル８３に、男性を示すマークＭａを印刷し、第２のラベル８４に、これと対を成す女性を表すマークＭｂを印刷して、１組のペアラベル８１を作成する構成である（図１２（ａ）参照）。また、文字列に代えて、文字列および図形を入力し、入力した一方の文字列および図形の組と、それと対の関係を成す他方の文字列および図形の組と、をそれぞれ印刷して、１組のペアラベル８１を作成する構成であっても良い。例えば、第１のラベル８３に、文字列の「男性」と男性を示すマークＭａとを入力すると、第１のラベル８３に、文字列の「男性」と男性を示すマークＭａとを印刷し、第２のラベル８４に、文字列の「女性」と女性を示すマークとを印刷して、１組のペアラベル８１を作成する構成である（図１２（ｂ）参照）。
【００６１】
さらに、本実施形態においては、テープ長設定プログラム７２によって、第１印刷データ７６を印刷した際のテープ長Ｌａまたは第２印刷データ７７を印刷した際のテープ長Ｌｂのいずれか長い方を、第１ラベルおよび第２ラベルのテープ長に設定する構成であったが、第１印刷データ７６に基づいて第１のラベル８３のテープ長を設定し、第２印刷データ７７に基づいて、第２のラベル８４のテープ長を設定し、第１ラベル８３および第２ラベル８４のテープ長を異なる長さとする構成であっても良い。
【図面の簡単な説明】
【００６２】
【図１】本発明の実施形態に係るテープ印刷装置の閉蓋状態における外観斜視図である。
【図２】本実施形態に係るテープ印刷装置の開蓋状態における外観斜視図である。
【図３】テープ印刷装置の制御ブロック図である。
【図４】テープ印刷装置の各種選択画面および入力画面を示した図である。
【図５】作成される１組のペアラベルの例を示した図である。
【図６】テープ印刷装置における１組のペアラベルの作成処理について示したフローチャートである。
【図７】テープ印刷装置における１組のペアラベルの作成処理について示した画面遷移図である。
【図８】第２文字列の入力処理を示した画面遷移図である。
【図９】装飾設定処理について示した画面遷移図である。
【図１０】１組のペアラベルの作成処理における第１の変形例を示した画面遷移図である。
【図１１】１組のペアラベルの作成処理のける第２の変形例を示した画面遷移図である。
【図１２】作成される１組のペアラベルの変形例を示した図である。
【符号の説明】
【００６３】
１：テープ印刷装置、  １７：キーボード、  ２４：ディスプレイ、  ６２：印刷部、  ６４：制御部、  ７４：第２文字列データベース、  ８１：１組のペアラベル
【図１】
2010105336.tif 000003
【図２】
2010105336.tif 000004
【図３】
2010105336.tif 000005
【図４】
2010105336.tif 000006
【図５】
2010105336.tif 000007
【図６】
2010105336.tif 000008
【図７】
2010105336.tif 000009
【図８】
2010105336.tif 000010
【図９】
2010105336.tif 000011
【図１０】
2010105336.tif 000012
【図１１】
2010105336.tif 000013
【図１２】
2010105336.tif 000014